(57)【要約】【課題】走行距離と対象運転者数とに対応した保険料を課す契約内容とし、走行距離に起因する被保険者の被る不合理な点を解消し、人的ミスの発生がない自動車保険契約システム、その方法、およびプログラムを提供する。【解決手段】車載端末２０は、走行距離計測手段２１と、運転者を撮影する撮影手段２２と、走行距離と撮影画像と送信する送信手段２３とを有し、保険会社情報処理装置３０内のサーバ３１は、保険データベース３２を検索して保険内容を提示する保険内容提示手段３１１と、契約走行距離と実走行距離とを比較する走行距離比較手段３１２と、運転者データベース３３に格納された画像データと車載端末２０から送信される運転者の撮影画像とを比較する運転者画像比較手段３１３とを有する。【選択図】　　　図１
2004021694.tif 000002
【特許請求の範囲】
【請求項１】
ユーザ端末と、保険会社情報処理装置と、ユーザの車載端末とを有し、前記ユーザ端末と前記保険会社情報処理装置と前記車載端末とをネットワークを介して接続し、ユーザが保険会社との間で前記ネットワークを介して保険加入契約を締結する自動車保険契約システムであって、前記ユーザ端末は、保険会社の保有する保険内容の任意の１つを選択する保険内容選択手段を有し、前記車載端末は、自動車の内部に設置され自動車の走行距離を自動計測する走行距離計測手段と、運転者を撮影する撮影手段と、走行距離と撮影画像とを前記ネットワークを介して前記保険会社情報処理装置へ送信する送信手段とを有し、前記保険会社情報処理装置は、サーバと、前記保険内容が格納される保険データベースと、運転者の画像データが格納される運転者データベースとを有し、前記サーバは、前記ユーザ端末からの自動車保険契約の要求に対して前記保険データベースを検索して前記保険内容を提示する保険内容提示手段と、前記保険内容の契約走行距離と前記車載端末から前記ネットワークを介して送信される自動車の走行距離とを比較する走行距離比較手段と、前記運転者データベースに格納された運転者の画像データと前記車載端末から前記ネットワークを介して送信される運転者の撮影画像とを比較する運転者画像比較手段とを有することを特徴とする自動車保険契約システム。
【請求項２】
前記サーバは、走行距離が前記契約走行距離に到達する前に前記ユーザ端末に対して走行距離を通知する手段を有することを特徴とする請求項１記載の自動車保険契約システム。
【請求項３】
前記サーバは、前記運転者データベースに格納された運転者の画像データと前記車載端末から送信される運転者の撮影画像とが一致した場合に走行距離を積算し前記ユーザ端末へ走行距離を送信する手段を有することを特徴とする請求項１記載の自動車保険契約システム。
【請求項４】
前記保険内容は、前記契約走行距離と対象運転者数とに対応して各々異なる保険料を有することを特徴とする請求項１記載の自動車保険契約システム。
【請求項５】
前記運転者データベースは、前記保険内容が対象運転者数限定のとき運転者の画像データが格納されることを特徴とする請求項１記載の自動車保険契約システム。
【請求項６】
前記自動車保険契約の期間は１年とし、契約満期時において前記契約走行距離と実走行距離との差分に対する保険料の精算処理を行うことを特徴とする請求項１記載の自動車保険契約システム。
【請求項７】
保険料の精算処理は、実走行距離が前記契約走行距離を超えたときに行い、実走行距離が前記契約走行距離以下のときは行わないことを特徴とする請求項６記載の自動車保険契約システム。
【請求項８】
前記ユーザ端末は、パーソナルコンピュータを有することを特徴とする請求項１記載の自動車保険契約システム。
【請求項９】
前記保険データベースおよび前記運転者データベースは、磁気ディスク装置または光ディスク装置を有することを特徴とする請求項１記載の自動車保険契約システム。
【請求項１０】
前記ネットワークは、インターネットを有することを特徴とする請求項１記載の自動車保険契約システム。
【請求項１１】
ユーザ端末と保険会社情報処理装置と車載端末とをネットワークを介して接続し、ユーザが保険会社との間で前記ネットワークを介して保険加入契約を締結する自動車保険契約方法であって、前記ユーザ端末から前記保険会社情報処理装置へ保険会社の保有する保険内容を問い合わせるステップと、保険会社情報処理装置は前記ネットワークを介して前記保険内容を前記ユーザ端末へ送信するステップと、前記ユーザ端末で前記保険内容を受信して前記保険内容の任意の１つを選択するステップと、選択した前記保険内容を前記ユーザ端末から前記ネットワークを介して前記保険会社情報処理装置に送信して契約を依頼するステップと、前記保険会社情報処理装置はユーザの保険契約内容を受信し確認後、前記ユーザ端末に対して保険開始日を送信するステップと、前記ユーザ端末は前記ネットワークを介して前記車載端末へ走行距離計測を指示するステップと、走行距離の計測を指示された前記車載端末は、走行距離の自動計測を開始するステップと、計測した走行距離を前記ネットワークを介して前記ユーザ端末および前記保険会社情報処理装置へ送信するステップと、前記保険会社情報処理装置は、前記保険内容の契約走行距離と前記車載端末から前記ネットワークを介して送信される自動車の走行距離とを比較し走行距離が前記契約走行距離に到達する前に前記ユーザ端末に対して走行距離を通知するステップと、自動車保険契約の契約満期時において、契約走行距離と実走行距離とを通知し、実走行距離が契約走行距離を超えたときはその差分に対する保険料の精算処理を併せて通知するステップと、ユーザは、差分に対応する保険料の精算金額を保険会社に支払うステップとを有することを特徴とする自動車保険契約方法。
【請求項１２】
前記ユーザ端末で選択した前記保険内容が対象運転者数限定のとき、前記車載端末から対象運転者の画像データを前記ネットワークを介して前記保険会社情報処理装置へ送信するステップと、前記保険会社情報処理装置は、受信した対象運転者の画像データをサーバ内の運転者データベースに格納するステップと、前記ネットワークを介して前記ユーザ端末に対して保険開始日を送信するステップと、前記ユーザ端末は前記ネットワークを介して前記車載端末へ走行距離計測と運転者の撮影開始を指示するステップと、走行距離計測と運転者の撮影開始を指示された車載端末は、走行距離の自動計測と運転者の撮影を開始するステップと、計測した走行距離と撮影した運転者の画像データを前記ネットワークを介して前記ユーザ端末と前記保険会社情報処理装置へ送信するステップと、前記保険会社情報処理装置は、前記運転者データベースに格納された運転者の画像データと前記車載端末から前記ネットワークを介して送信される運転者の撮影画像とを比較するステップと、前記運転者データベースに格納された画像データと前記車載端末からの撮影画像とが一致した場合に走行距離を積算するステップと、前記保険内容の契約走行距離と前記車載端末から前記ネットワークを介して送信される自動車の走行距離とを比較し走行距離が前記契約走行距離に到達する前に前記ユーザ端末に対して走行距離を通知するステップと、自動車保険契約の契約満期時において、契約走行距離と実走行距離とを通知し、実走行距離が契約走行距離を超えたときはその差分に対する保険料の精算処理を併せて通知するステップと、ユーザは、差分に対応する保険料の精算金額を保険会社に支払うステップとを有することを特徴とする請求項１１記載の自動車保険契約方法。
【請求項１３】
前記ユーザ端末は、パーソナルコンピュータを有することを特徴とする請求項１１記載の自動車保険契約方法。
【請求項１４】
前記ネットワークは、インターネットを有することを特徴とする請求項１１記載の自動車保険契約方法。
【請求項１５】
保険会社情報処理装置を保険内容提示手段、走行距離比較手段、運転者画像比較手段として機能させるためのプログラム。
【発明の詳細な説明】
【０００１】
【発明の属する技術分野】
本発明は、自動車保険契約システム、その方法、およびプログラムに関し、特に、自動車の走行距離を自動計測すると共に、運転者を自動認識し、走行距離と対象運転者数に対応した保険料を課す保険内容を有する自動車保険契約システム、その方法、およびプログラムに関する。
【０００２】
【従来の技術】
従来の自動車保険は、期間単位での契約が主流であり、走行距離単位での保険契約商品は、確立されておらず、自動車を日常的に利用して長距離に亘り使用する被保険者と稀にしか利用せず短距離しか使用しない被保険者とが同一の保険料を支払う保険契約内容のため、非常に不合理な面がある。
【０００３】
そこで、この問題点を解決すべく、走行距離を考慮した自動車保険料金の算出方法の技術が特開２００１ー３３１６４８に開示されている。
【０００４】
特開２００１ー３３１６４８に開示の技術は、保険会社が店舗と代理店契約を締結し、店舗従業員が該当車輌の走行距離メーターを目視により確認かつその内容を保険会社に伝達する仕組みを構築し、走行距離に応じて料金が変動する自動車保険のシステムである。
【０００５】
しかし、上記技術は、店舗従業員が走行距離メーターを目視により確認し、被保険者の契約距離の管理は、車輌の走行距離メーターの側に、契約距離を印字したシールを貼ることで行なっており、人的ミスの発生の虞れがあり、また、車輌内に貼られたシールは、通常注意してチェックするケースは稀であり、劣化に伴い内容の目視確認が不可能となる場合もある。
【０００６】
【発明が解決しようとする課題】
以上説明したように、従来の自動車保険は、期間単位での契約のため、自動車を長距離に亘り使用する被保険者と短距離しか使用しない被保険者とが同一の保険料を支払う保険契約内容のため、非常に不合理な面があるという課題がある。
【０００７】
特開２００１ー３３１６４８に開示の技術は、保険会社が店舗と代理店契約を締結し、店舗従業員が該当車輌の走行距離メーターを目視により確認かつその内容を保険会社に伝達する仕組みを構築し、被保険者の契約距離の管理を車輌の走行距離メーターの側に、契約距離を印字したシールを貼ることで行なうため、人的ミスの発生の虞れがあり、また、車輌内に貼られたシールは、通常注意して確認するケースは稀であり無用の長物となり、劣化に伴い内容の目視確認が不可能となる場合があるという課題がある。
【０００８】
本発明の目的は、走行距離と対象運転者数に対応した保険料を課す契約内容とし、自動車内部に搭載した車載端末により走行距離を自動計測すると共に、運転者を自動認識することにより、自動車の走行距離に起因する被保険者の被る不合理な点を解消し、人的ミスの発生がない自動車保険契約システム、その方法、およびプログラムを提供することにある。
【０００９】
【課題を解決するための手段】
本発明の自動車保険契約システムは、ユーザ端末と、保険会社情報処理装置と、ユーザの車載端末とを有し、ユーザ端末と保険会社情報処理装置と車載端末とをネットワークを介して接続し、ユーザが保険会社との間でネットワークを介して保険加入契約を締結する自動車保険契約システムであって、ユーザ端末は、保険会社の保有する保険内容の任意の１つを選択する保険内容選択手段を有し、車載端末は、自動車の内部に設置され自動車の走行距離を自動計測する走行距離計測手段と、運転者を撮影する撮影手段と、走行距離と撮影画像とをネットワークを介して保険会社情報処理装置へ送信する送信手段とを有し、保険会社情報処理装置は、サーバと、保険内容が格納される保険データベースと、運転者の画像データが格納される運転者データベースとを有し、サーバは、ユーザ端末からの自動車保険契約の要求に対して保険データベースを検索して保険内容を提示する保険内容提示手段と、保険内容の契約走行距離と車載端末からネットワークを介して送信される自動車の走行距離とを比較する走行距離比較手段と、運転者データベースに格納された運転者の画像データと車載端末からネットワークを介して送信される運転者の撮影画像とを比較する運転者画像比較手段とを有することを特徴とする。
【００１０】
サーバは、走行距離が契約走行距離に到達する前にユーザ端末に対して走行距離を通知する手段を有することを特徴とする。
【００１１】
サーバは、運転者データベースに格納された運転者の画像データと車載端末から送信される運転者の撮影画像とが一致した場合に走行距離を積算しユーザ端末へ走行距離を送信する手段を有することを特徴とする。
【００１２】
保険内容は、契約走行距離と対象運転者数とに対応して各々異なる保険料を有することを特徴とする。
【００１３】
運転者データベースは、保険内容が対象運転者数限定のとき運転者の画像データが格納されることを特徴とする。
【００１４】
自動車保険契約の期間は１年とし、契約満期時において契約走行距離と実走行距離との差分に対する保険料の精算処理を行うことを特徴とする。
【００１５】
保険料の精算処理は、実走行距離が契約走行距離を超えたときに行い、実走行距離が契約走行距離以下のときは行わないことを特徴とする。
【００１６】
ユーザ端末は、パーソナルコンピュータを有することを特徴とする。
【００１７】
保険データベースおよび運転者データベースは、磁気ディスク装置または光ディスク装置を有することを特徴とする。
【００１８】
ネットワークは、インターネットを有することを特徴とする。
【００１９】
本発明の自動車保険契約方法は、ユーザ端末と保険会社情報処理装置と車載端末とをネットワークを介して接続し、ユーザが保険会社との間でネットワークを介して保険加入契約を締結する自動車保険契約方法であって、ユーザ端末から保険会社情報処理装置へ保険会社の保有する保険内容を問い合わせるステップと、保険会社情報処理装置はネットワークを介して保険内容をユーザ端末へ送信するステップと、ユーザ端末で保険内容を受信して保険内容の任意の１つを選択するステップと、選択した保険内容をユーザ端末からネットワークを介して保険会社情報処理装置に送信して契約を依頼するステップと、保険会社情報処理装置はユーザの保険契約内容を受信し確認後、ユーザ端末に対して保険開始日を送信するステップと、ユーザ端末はネットワークを介して車載端末へ走行距離計測を指示するステップと、走行距離の計測を指示された車載端末は、走行距離の自動計測を開始するステップと、計測した走行距離をネットワークを介してユーザ端末および保険会社情報処理装置へ送信するステップと、保険会社情報処理装置は、保険内容の契約走行距離と車載端末からネットワークを介して送信される自動車の走行距離とを比較し走行距離が契約走行距離に到達する前にユーザ端末に対して走行距離を通知するステップと、自動車保険契約の契約満期時において、契約走行距離と実走行距離とを通知し、実走行距離が契約走行距離を超えたときはその差分に対する保険料の精算処理を併せて通知するステップと、ユーザは、差分に対応する保険料の精算金額を保険会社に支払うステップとを有することを特徴とする。
【００２０】
ユーザ端末で選択した保険内容が対象運転者数限定のとき、車載端末から対象運転者の画像データをネットワークを介して保険会社情報処理装置へ送信するステップと、保険会社情報処理装置は、受信した対象運転者の画像データをサーバ内の運転者データベースに格納するステップと、ネットワークを介してユーザ端末に対して保険開始日を送信するステップと、ユーザ端末はネットワークを介して車載端末へ走行距離計測と運転者の撮影開始を指示するステップと、走行距離計測と運転者の撮影開始を指示された車載端末は、走行距離の自動計測と運転者の撮影を開始するステップと、計測した走行距離と撮影した運転者の画像データをネットワークを介してユーザ端末と保険会社情報処理装置へ送信するステップと、保険会社情報処理装置は、運転者データベースに格納された運転者の画像データと車載端末からネットワークを介して送信される運転者の撮影画像とを比較するステップと、運転者データベースに格納された画像データと車載端末からの撮影画像とが一致した場合に走行距離を積算するステップと、保険内容の契約走行距離と車載端末からネットワークを介して送信される自動車の走行距離とを比較し走行距離が契約走行距離に到達する前にユーザ端末に対して走行距離を通知するステップと、自動車保険契約の契約満期時において、契約走行距離と実走行距離とを通知し、実走行距離が契約走行距離を超えたときはその差分に対する保険料の精算処理を併せて通知するステップと、ユーザは、差分に対応する保険料の精算金額を保険会社に支払うステップとを有することを特徴とする。
【００２１】
ユーザ端末は、パーソナルコンピュータを有することを特徴とする。
【００２２】
ネットワークは、インターネットを有することを特徴とする。
【００２３】
本発明のプログラムは、保険会社情報処理装置を保険内容提示手段、走行距離比較手段、運転者画像比較手段として機能させることを特徴とする。
【００２４】
【発明の実施の形態】
次に、本発明の自動車保険契約システムの一実施の形態について、図面を参照して説明する。
【００２５】
図１は、本発明の自動車保険契約システム１の一実施の形態を示す概略構成ブロック図、図２は、図１中の保険会社情報処理装置３０の概略構成ブロック図である。
【００２６】
図１および図２を参照すると、自動車保険契約システム１は、パーソナルコンピュータを有するユーザ端末１０と、保険会社情報処理装置３０と、ユーザの車載端末２０とで構成され、ユーザ端末１０と保険会社情報処理装置３０と車載端末２０とをインターネット１００を介して接続し、ユーザが保険会社との間でインターネット１００を介して保険加入契約を締結する自動車保険契約システムであって、ユーザ端末１０は、保険会社の保有する保険内容の任意の１つを選択する保険内容選択手段１１を有し、車載端末２０は、自動車４０の内部に設置され自動車４０の走行距離を自動計測するＧＰＳ（ＧｌｏｂａｌーＰｏｓｉｔｉｏｎーＳｙｓｔｅｍ）を有する走行距離計測手段２１と、運転者を撮影するＣＣＤカメラを有する撮影手段２２と、走行距離と撮影画像とをインターネット１００を介して保険会社情報処理装置３０へ送信する送信手段２３とで構成され、保険会社情報処理装置３０は、サーバ３１と、保険内容が格納される保険データベース３２と、運転者の画像データが格納される運転者データベース３３とで構成され、サーバ３１は、ユーザ端末１０からの自動車保険契約の要求に対して保険データベース３２を検索して保険内容を提示する保険内容提示手段３１１と、保険内容の契約走行距離と車載端末２０からインターネット１００を介して送信される自動車４０の走行距離とを比較する走行距離比較手段３１２と、運転者データベース３３に格納された運転者の画像データと車載端末２０からインターネット１００を介して送信される運転者の撮影画像とを比較する運転者画像比較手段３１３とで構成される。
【００２７】
また、保険データベース３２および運転者データベース３３は、磁気ディスク装置（図示せず）または光ディスク装置（図示せず）を有する構成となっている。
【００２８】
次に、上述のように構成された自動車保険契約システム１の動作について、図面を参照して説明する。
【００２９】
図３は、保険内容の一例を示す図、図４は、自動車保険契約システム１の動作を示すフローチャートである。なお、図３に示す保険内容は、保険期間が１年間とする。
【００３０】
先ず、対象運転者数が無制限の保険内容でユーザが契約する（図３中のＸの保険内容で契約する）ときの動作について説明する。
【００３１】
図３、図４を参照すると、自動車保険を契約しようとするユーザは、ユーザ端末１０から保険会社情報処理装置３０へインターネット１００を介して保険会社の保有する保険内容を問い合わせ（ステップＡ１）、保険内容の問い合わせを受けると保険会社情報処理装置３０のサーバ３１は、保険内容提示手段３１１で保険データベース３２を検索して保険内容を提示すべくインターネット１００を介してユーザ端末１０へ送信する（ステップＡ２）。
【００３２】
ユーザ端末１０で保険会社の保有する保険商品の種類の保険内容を受信したユーザは、保険内容選択手段１１で保険内容の任意の１つを選択する（ステップＡ３）が、ここでは図３中の対象運転者数が無制限のＸの保険内容での契約を選択したとする。
【００３３】
ユーザは、ユーザ端末１０からインターネット１００を介して選択した保険内容と保険料の支払い条件、保険開始希望日を保険会社情報処理装置３０に送信して契約を依頼し（ステップＡ４）、保険会社情報処理装置３０は、ユーザの保険契約内容を受信し確認後、ユーザ端末１０に対して保険開始日を送信する（ステップＡ５）。
【００３４】
なお、保険料の支払条件は、月払い、一括払いの何れかとするが、支払方法などの詳細に付いては、省略する。
【００３５】
保険開始日を受信したユーザ端末１０は、インターネット１００を介して車載端末２０へ走行距離の計測を指示し（ステップＡ６）、走行距離の計測を指示された車載端末２０は、走行距離計測手段２１で走行距離の自動計測を開始し、計測した走行距離をインターネット１００を介してユーザ端末１０および保険会社情報処理装置３０へ送信する（ステップＡ７）。
【００３６】
保険会社情報処理装置３０は、走行距離比較手段３１２で保険内容の契約走行距離と車載端末２０から送信される自動車４０の走行距離とを比較し、走行距離が契約走行距離に到達する前にユーザ端末１０に対して走行距離を通知する（ステップＡ８）。
【００３７】
ここに、保険会社がユーザに実走行距離を通知するのは、契約走行距離に近くなったとき、例えば、実走行距離が契約走行距離の９０％程度になったときに通知する。これにより、ユーザは、１年の契約期間内において契約した走行距離内に収まるか否かの目安の判断材料となり、自動車４０の使用頻度、走行距離を調整することもユーザによっては可能となる。
【００３８】
保険会社情報処理装置３０は、自動車保険契約の契約満期時において、契約走行距離と実走行距離とを通知し、実走行距離が契約走行距離を超えたときはその差分に対する保険料の精算処理を通知し（ステップＡ９）、ユーザは、差分に対応する保険料の精算金額を保険会社に支払う（ステップＡ１０）。
【００３９】
例えば、実走行距離が５０１ｋｍ〜２０００ｋｍであった場合は、差額の２００００円を精算金額として保険会社に支払うことになる。
【００４０】
なお、実走行距離が契約走行距離以下のときは、保険料の精算処理を行わず、契約終了となる。
【００４１】
次に、対象運転者数が限定の保険内容でユーザが契約する（図３中のＹの保険内容で契約する）ときの動作について、図面を参照して説明する。
【００４２】
図５は、対象運転者数が限定の保険内容でユーザが契約するときの自動車保険契約システム１の動作を示すフローチャートである。
【００４３】
図３、図５を参照すると、自動車保険を契約しようとするユーザは、ユーザ端末１０から保険会社情報処理装置３０へインターネット１００を介して保険会社の保有する保険内容を問い合わせ（ステップＢ１）、保険内容の問い合わせを受けると保険会社情報処理装置３０のサーバ３１は、保険内容提示手段３１１で保険データベース３２を検索して保険内容を提示すべくインターネット１００を介してユーザ端末１０へ送信する（ステップＢ２）。
【００４４】
ユーザ端末１０で保険会社の保有する保険商品の種類の保険内容を受信したユーザは、保険内容選択手段１１で保険内容の任意の１つ（Ｙ）を選択し、車載端末２０の撮影手段２２による４人の対象運転者の画像データを送信手段２３にてインターネット１００を介して保険会社情報処理装置３０への送信指示を行い（ステップＢ３）、保険契約を依頼し（ステップＢ４）、車載端末２０は、対象運転者の画像データを保険会社情報処理装置３０へ送信する（ステップＢ５）。
【００４５】
保険会社情報処理装置３０は、受信した対象運転者の画像データをサーバ３１内の運転者データベース３３に格納し（ステップＢ６）、保険契約内容を確認後インターネット１００を介してユーザ端末１０に対して保険開始日（ユーザの希望日）を送信する（ステップＢ７）。
【００４６】
ユーザ端末１０は、インターネット１００を介して車載端末２０へ走行距離計測と運転者の撮影開始を指示し（ステップＢ８）、走行距離計測と運転者の撮影開始を指示された車載端末２０は、走行距離計測手段２１により走行距離の自動計測と撮影手段２２により運転者の撮影を開始し（ステップＢ９）、計測した走行距離と撮影した運転者の画像データとをインターネット１００を介してユーザ端末１０と保険会社情報処理装置３０へ送信する（ステップＢ１０）。
【００４７】
保険会社情報処理装置３０は、運転者データベース３３に格納されている運転者の画像データと車載端末２０からインターネット１００を介して送信される運転者の撮影画像とを運転者画像比較手段３１３で比較し（ステップＢ１１）、運転者データベース３３に格納された画像データと車載端末２０からの撮影画像とが一致したとき、車載端末２０から送信される自動車の走行距離を積算し（ステップＢ１２）、保険内容の契約走行距離と車載端末２０からインターネット１００を介して送信される自動車の走行距離とを走行距離比較手段３１２で比較し、走行距離が契約走行距離に到達する前にユーザ端末１０に対して走行距離を通知する（ステップＢ１３）。
【００４８】
なお、保険会社がユーザに実走行距離を通知するのは、契約走行距離に近くなったとき、例えば、実走行距離が契約走行距離の９０％程度になったときに通知する。これにより、ユーザは、１年の契約期間内において、契約した走行距離内に収まるか否かの目安の判断材料となり、自動車４０の使用頻度、走行距離を調整することもユーザによっては可能となるメリットがある。
【００４９】
保険会社情報処理装置３０は、自動車保険契約の契約満期時において、契約走行距離と実走行距離とを通知し、実走行距離が契約走行距離を超えたときはその差分に対する保険料の精算処理内容を通知し（ステップＢ１４）、ユーザは、差分に対応する保険料の精算金額を保険会社に支払う（ステップＢ１５）。
【００５０】
なお、実走行距離が契約走行距離以下のときは、保険料の精算処理を行わず、契約終了となる。
【００５１】
上記（ステップＢ１１）で運転者データベース３３に格納された画像データと車載端末２０からの撮影画像とが一致しないときは、車載端末２０から送信される自動車の走行距離を積算しない（ステップＢ１６）。
【００５２】
【発明の効果】
以上説明したように、本発明の自動車保険契約システムは、走行距離と対象運転者数に対応した保険料を課す契約内容とし、自動車内部に搭載した車載端末により走行距離を自動計測すると共に、運転者を自動認識することにより、自動車の走行距離の差に起因する被保険者の被る不合理な点を解消することができるという効果がある。
【００５３】
また、走行距離の計測、運転者の認識をコンピュータ処理により行うため、人的ミスの発生がないという効果がある。
【図面の簡単な説明】
【図１】本発明の自動車保険契約システムの一実施の形態を示す概略構成ブロック図である。
【図２】図１中の保険会社情報処理装置の概略構成ブロック図である。
【図３】保険内容の一例を示す図である。
【図４】自動車保険契約システムの動作を示すフローチャートである。
【図５】自動車保険契約システムの動作を示すフローチャートである。
【符号の説明】
１　　自動車保険契約システム
１０　　ユーザ端末
１１　　保険内容選択手段
２０　　車載端末
２１　　走行距離計測手段
２２　　撮影手段
２３　　送信手段
３０　　保険会社情報処理装置
３１　　サーバ
３１１　　保険内容提示手段
３１２　　走行距離比較手段
３１３　　運転者画像比較手段
３２　　保険データベース
３３　　運転者データベース
４０　　自動車
【図１】
2004021694.tif 000003
【図２】
2004021694.tif 000004
【図３】
2004021694.tif 000005
【図４】
2004021694.tif 000006
【図５】
2004021694.tif 000007